(57)【特許請求の範囲】
【請求項１】
図柄表示部(30)に表示された複数列・複数段の図柄(27)により現出され得る図柄組合わせラインを、前記図柄表示部(30)の前側に配設される透視板体(31)に設けた有効ライン(L1,L2,L3,L4,L5)で表示するようにした有効ライン表示装置であって、
前記図柄表示部(30)の前側において略垂直姿勢で配設される前記透視板体(31)を構成する透明板(33/33A,33B,33C,33D)と、
前記透明板(33/33A,33B,33C,33D)に形成されて前記図柄表示部(30)の前側において交差するよう延在し、該図柄表示部(30)に現出され得る図柄組合わせラインに沿って延在する不透明または半透明の反射面(38)からなる複数の線状部(35/35A,35B,35C,35D,35E)と、
前記線状部(35/35A,35B,35C,35D,35E)の延在方向の両端部に夫々配設され、個別に点灯・消灯制御されて対応する線状部(35/35A,35B,35C,35D,35E)の端部に向けて照射光を照射可能な複数のＬＥＤランプ(32)と、
前記透明板(33/33A,33B,33C,33D)に形成されて前記交差する線状部(35/35A,35B,35C,35D,35E)の交点に位置し、線状部(35/35A,35B,35C,35D,35E)の一端部側から照射された前記ＬＥＤランプ(32)からの照射光が他端部側へもれるのを防ぐ遮光部(42)とからなり、
前記遮光部(42)を挟む各側の線状部(35/35A,35B,35C,35D,35E)の反射面(38)で、対応する側の前記ＬＥＤランプ(32)からの照射光が反射することで明輝した該線状部(35/35A,35B,35C,35D,35E)が、前記有効ライン(L1,L2,L3,L4,L5)として表示されるよう構成した
ことを特徴とする有効ライン表示装置。
【請求項２】
前記透明板(33/33A,33C,33D)を前後に重なり合うよう複数枚備えると共に、前後に重なり合う透明板(33/33A,33C,33D)に形成された前記線状部(35/35A,35D,35E)同士が前後の位置関係で交差するよう構成され、
前記各透明板(33/33A,33C,33D)には、前後の位置関係で交差する前記線状部(35/35A,35D,35E)の交点位置に位置するよう前記遮光部(42)が夫々設けられて、各透明板(33/33A,33C,33D)を前後に重ね合わせた際に、各遮光部(42)が前後に重なり合うよう構成された請求項１記載の有効ライン表示装置。
【請求項３】
前記線状部(35/35D,35E)は、一枚の前記透明板(33/33B)に対して交差するよう形成されて、該線状部(35/35D,35E)の交点位置に前記遮光部(42)が設けられる請求項１記載の有効ライン表示装置。
【請求項４】
前記線状部(35/35A,35B,35C,35D,35E)は、前記透明板(33/33A,33B,33C,33D)の裏面(36)から最深部に向けて前記反射面(38)を対向的に傾斜させた断面がＶ字状をなす溝であって、各反射面(38)における不透明度が両端部から中央部に向けて徐々に増大するよう設定されると共に、該反射面(38,38)から透明板(33/33A,33B,33C,33D)の裏面(36)側に向けて突出するよう前記遮光部(42)が形成される請求項１〜３の何れか一項に記載の有効ライン表示装置。
【請求項５】
前記線状部(35/35A,35B,35C,35D,35E)は、前記透明板(33/33A,33B,33C,33D)の裏面(36)から最深部に向けて前記反射面(38)を対向的に傾斜させた断面がＶ字状をなす溝であって、中央部が前記透明板(33/33A,33B,33C,33D)の表面(37)側に最も偏倚すると共に両端部に向かうにつれて徐々に裏面(36)側に後退するよう形成され、各線状部(35/35A,35B,35C,35D,35E)の中央部に位置するよう前記遮光部(42)が形成される請求項１〜３の何れか一項に記載の有効ライン表示装置。
【請求項６】
前記複数のＬＥＤランプ(32)は、異なる発光色に設定される請求項１〜５の何れか一項に記載の有効ライン表示装置。
【請求項７】
遊技機使用権利媒体の投入数量に応じて前記複数のＬＥＤランプ(32)を自動的に選択して点灯制御するよう構成した請求項１〜６の何れか一項に記載の有効ライン表示装置。
【請求項８】
図柄表示部(30)の裏側に、複数列・複数段の図柄(27)の始動・停止条件に基く図柄組合わせゲームを展開して予め設定された図柄同士の組合わせに係る特別遊技状態を呈し得る図柄表示装置(20)が配設されると共に、前記図柄表示部(30)の前側に請求項１〜７の何れか一項に記載の有効ライン表示装置を配設した
ことを特徴とする遊技機。
【発明の詳細な説明】
【０００１】
【発明の属する技術分野】
この発明は、図柄表示部に表示された複数列・複数段の図柄により現出され得る図柄組合わせラインを、前記図柄表示部の前側に配設される透視板体に設けた有効ラインで表示するようにした有効ライン表示装置およびその表示装置を有する遊技機に関するものである。
【０００２】
【従来の技術】
パチンコ機、スロットマシンあるいはパチンコ式スロットマシン等の遊技機では、遊技中に発生する毎回の始動および停止を含む変動制御条件に基いて図柄組合わせゲームを展開し、特別遊技状態に係る権利とされる図柄組合わせ条件を成立表示することのできる遊技装置として、ドラム式図柄表示装置、ベルト式図柄表示装置、液晶式図柄表示装置等の各種形態の図柄表示装置が好適に採用されている。例えば図１５および図１６は、ベルト式図柄表示装置を搭載したパチンコ機の遊技盤１０を例示したものであって、この遊技盤１０に搭載したベルト式図柄表示装置２０は、その基本構成として１つの本体ケース２１内に複数基(一般的には左列、中列、右列の３基)の図柄表示ユニット２２を並列に収容セットして構成される。各図柄表示ユニット２２は、駆動基板を兼用するセット板２３に設けた回転駆動手段２４と、この回転駆動手段２４を構成する各プーリ２５ａ,２５ｂ,２５ｃに展張掛装され、フィルム外面に色彩区分された数字、アルファベット文字、その他の図形やマーク等の各種多様な図柄２７(図１７参照)を配設した無端状の図柄ベルト２６と、位置決め検出手段２８および照明手段２９等を含めて単一にユニット化されている。そして、３基の図柄表示ユニット２２を並列に収容セットした前記本体ケース２１では、該ケース２１の前側に開口した図柄表示部３０に、夫々の図柄表示ユニット２２における図柄ベルト２６が横並び状に臨んでいる。
【０００３】
このように構成された図柄表示装置２０は、前記遊技盤１０の前面中央に組付けた大型装飾部材１１の裏側に整合するように設置固定することにより、該大型装飾部材１１に開口形成された透視窓部１２に対して前記図柄表示部３０が整合し、前記各図柄ベルト２６の前側帯部分２６ａが、該透視窓部１２に臨むようになる。なお前記図柄表示装置２０では、図１７に示すように、各図柄ベルト２６毎に３コマ分の図柄２７が透視窓部１２に臨むように設定されており、これにより透視窓部１２には合計９個(３列×３段)の図柄２７が停止表示されることになる。ここで、透視窓部１２に停止表示された３列×３段で合計９個の図柄２７により現出される図柄組合わせラインは、▲１▼各列上段に停止した夫々の図柄同士、▲２▼各列中段に停止した夫々の図柄同士、▲３▼各列下段に停止した夫々の図柄同士、▲４▼左列上段、中列中段、右列下段に停止した夫々の図柄同士、▲５▼左列下段、中列中段、右列上段に停止した夫々の図柄同士、の合計５種類となる。
【０００４】
そこで、前述した▲１▼〜▲５▼の各図柄組合わせラインを表示するために、前記大型装飾部材１１の透視窓部１２に装着された透視板体１３に、夫々の図柄組合わせラインに対応した第１〜第５の５本の有効ラインＬ１,Ｌ２,Ｌ３,Ｌ４,Ｌ５が形成されている。
【０００５】
【発明が解決しようとする課題】
ところで、前記透視板体１３に形成した従来の有効ラインＬ１,Ｌ２,Ｌ３,Ｌ４,Ｌ５は、例えば該透視板体１３の表面に対して、適宜色調の塗料により塗装したり、シール等を貼着または蒸着したりして形成するのが一般的であった。しかしながらパチンコ機、スロットマシンあるいはパチンコ式スロットマシンでは、遊技効果や装飾効果の向上を図る目的で前記大型装飾部材１１やその近傍に、多数の装飾ランプ１４や色鮮やかな色調に塗装された装飾部材１５等が配設されているため、前記有効ラインＬ１,Ｌ２,Ｌ３,Ｌ４,Ｌ５が見え難くなって視認性が低いものとなっていた。このためパチンコ機では、図柄変動中においてリーチが発生した際等に、特別遊技状態となるための図柄２７が停止する位置が分かり難い問題を内在しており、またスロットマシンやパチンコ式スロットマシンでは、遊技機使用権利媒体としてのコインまたはパチンコ球の投入数に応じて設定される図柄組合わせラインの本数等が分かり難い問題を内在していた。
【０００６】
また有効ラインとしては、前述した５つのパターンの他に、例えば左列中段から中列中段に延在し、この延在端部から右列上段に向けて斜め上方に延在するパターンや、該延在端部から同じく右列下段に向けて斜め下方に延在するパターンと云った変則的なパターンがある。しかしながら、各種色調の塗装で固定的に表示される有効ラインでは、前述したように視認性が低いため、変則的なパターンとした場合には更に視認性が低下し、遊技者に対して有効ラインの位置を明確に認識させることができない難点がある。特に通常の有効ラインと変則的な有効ラインとが適宜入れ替わるような遊技機の場合、遊技者に対する有効ラインの正確な表示がより困難となってしまう。
【０００７】
【発明の目的】
本発明は、前述した従来の技術に内在している前記課題に鑑み、これを好適に解決するべく提案されたものであって、光源からの照射光を透明板に設けた線状部の反射面で反射させ、これにより明輝した該線状部で有効ラインを表示することで該有効ラインの視認性を向上させると共に、有効ラインとなる線状部の延在途次に遮光部を形成することにより、光源からの照射光をこの遮光部で遮断して、変則的な有効ラインを明確に表示することを可能とした有効ライン表示装置およびその表示装置を有する遊技機を提供することを目的とする。
【０００８】
【課題を解決するための手段】
前述した課題を克服し、所期の目的を好適に達成するため、本発明に係る有効ライン表示装置は、
図柄表示部に表示された複数列・複数段の図柄により現出され得る図柄組合わせラインを、前記図柄表示部の前側に配設される透視板体に設けた有効ラインで表示するようにした有効ライン表示装置であって、
前記図柄表示部の前側において略垂直姿勢で配設される前記透視板体を構成する透明板と、
前記透明板に形成されて前記図柄表示部の前側において交差するよう延在し、該図柄表示部に現出され得る図柄組合わせラインに沿って延在する不透明または半透明の反射面からなる複数の線状部と、
前記線状部の延在方向の両端部に夫々配設され、個別に点灯・消灯制御されて対応する線状部の端部に向けて照射光を照射可能な複数のＬＥＤランプと、
前記透明板に形成されて前記交差する線状部の交点に位置し、線状部の一端部側から照射された前記ＬＥＤランプからの照射光が他端部側へもれるのを防ぐ遮光部とからなり、
前記遮光部を挟む各側の線状部の反射面で、対応する側の前記ＬＥＤランプからの照射光が反射することで明輝した該線状部が、前記有効ラインとして表示されるよう構成したことを特徴とする。
【０００９】
前記目的を好適に達成するため、本願の別の発明に係る遊技機は、
図柄表示部の裏側に、複数列・複数段の図柄の始動・停止条件に基く図柄組合わせゲームを展開して予め設定された図柄同士の組合わせに係る特別遊技状態を呈し得る図柄表示装置が配設されると共に、前記図柄表示部の前側に有効ライン表示装置を配設したことを特徴とする。この有効ライン表示装置としては、図柄表示部の前側において略垂直姿勢で配設される透視板体を構成する透明板と、透明板に形成されて図柄表示部の前側において交差するよう延在し、該図柄表示部に現出され得る図柄組合わせラインに沿って延在する不透明または半透明の反射面からなる複数の線状部と、線状部の延在方向の各端部に向けて照射光を照射可能で、個別に点灯・消灯制御される複数のＬＥＤランプと、透明板に形成されて線状部の交点に位置し、該線状部の一端部側から照射されたＬＥＤランプからの照射光が他端部側へもれるのを防ぐ遮光部とからなり、遮光部を挟む各側の線状部の反射面で、対応する側のＬＥＤランプからの照射光が反射することで明輝した該線状部が、有効ラインとして表示される構成を基本として、透明板を前後に重なり合うよう複数枚備えると共に、前後に重なり合う透明板に形成された線状部同士が前後の位置関係で交差し、各透明板には、前後の位置関係で交差する線状部の交点位置に位置するよう遮光部が夫々設けられて、各透明板を前後に重ね合わせた際に、各遮光部が前後に重なり合う構成、線状部は、一枚の透明板に対して交差するよう形成されて、該線状部の交点位置に遮光部が設けられる構成、線状部は、透明板の裏面から最深部に向けて反射面を対向的に傾斜させた断面がＶ字状をなす溝であって、各反射面における不透明度が両端部から中央部に向けて徐々に増大するよう設定されると共に、該反射面から透明板の裏面側に向けて突出するよう遮光部が形成される構成、線状部は、透明板の裏面から最深部に向けて反射面を対向的に傾斜させた断面がＶ字状をなす溝であって、中央部が前記透明板の表面側に最も偏倚すると共に両端部に向かうにつれて徐々に裏面側に後退するよう形成され、中央部が透明板の表面側に最も偏倚し、両端部に向かうにつれて徐々に透明板の裏面側に後退するよう形成され、各線状部の中央部に位置するよう遮光部が形成される構成、複数のＬＥＤランプは、異なる発光色に設定される構成、または遊技機使用権利媒体の投入数量に応じて複数のＬＥＤランプを自動的に選択して点灯制御する構成が選択して採用される。
【００１０】
【作用】
透視板体を構成する透明板に設けた線状部の両端部に向けてＬＥＤランプから照射光を照射することで、該線状部の反射面で照射光が反射し、これにより明輝した線状部で有効ラインを表示するので、該有効ラインは鮮明に表示されて視認性が向上する。また、線状部の所定位置に形成された遮光部により、一端部側から照射された照射光が他端部側へもれないようになっているから、一方のＬＥＤランプを消灯することにより、該遮光部を挟む他方の側のみを明輝させることが可能となる。なお、前記線状部の反射面の不透明度を、両端部から中央部に向けて徐々に増大するよう設定すれば、該線状部全体が略均一的に明輝して有効ラインが鮮明に表示される。
【００１１】
また、ＬＥＤランプを個別に点灯・消灯制御すると共に、横方向に延びる線状部や斜め方向に延在する線状部を組合わせることで、変則的な有効ラインを表示することが可能となる。更に、複数のＬＥＤランプを、異なる発光色に設定すれば、各有効ラインの表示態様の多様化および多彩化が可能となる。そして、このようなＬＥＤランプを、遊技機使用権利媒体の投入数量に応じて選択して点灯制御することで、有効ラインの表示数を選択することができる。
【００１２】
前記有効ライン表示装置を備える遊技機では、図柄表示装置の図柄組合わせゲームにおける特別遊技状態となり得る図柄組合わせラインが明確に表示され、更には変則化な有効ラインが表示可能となるから、興趣に富んだ遊技が可能となる。
【００１３】
【発明の実施の形態】
次に、本発明に係る有効ライン表示装置およびその表示装置を有する遊技機につき、好適な実施例を挙げて、添付図面を参照しながら以下詳細に説明する。なお、図１５〜図１７に関して従来の技術で説明した部材・部位と同一の部材・部位については、同一の符号を付して説明する。また本実施例の有効ライン表示装置は、図柄組合わせ遊技機としてのパチンコ機、スロットマシンあるいはパチンコ式スロットマシン等に好適に実施可能とされるものであるが、実施例では主にパチンコ機を例に挙げて説明することとする。
【００１４】
図４に全体が略示されたパチンコ機Ｐは、機前側から着脱交換可能に装着セットされた遊技盤１０の遊技領域において、アウト口５０が形成される一方、セーフ球検出用のスイッチ(図示せず)を組込んだ始動入賞具５１と、「大当り」の成立時に開成条件が付与される電動入賞装置５２および図柄表示装置２０等が夫々配設されている。なお電動入賞装置５２では、遊技球用の入賞領域５３に対する開閉部材５４が電磁ソレノイド(図示せず)の設定駆動条件に基いて開閉変化されるようになっており、また入賞領域５３に入ったセーフ球をカウント用スイッチと特別スイッチとにより検出し得、特別スイッチのセーフ球検出に基いて電動入賞装置５２自体の開成作動継続条件が成立可能とされている。
【００１５】
前記パチンコ機Ｐに実施される、ベルト式の図柄表示装置２０は、前述したように、遊技盤１０の前面側に装着セットされる大型装飾部材１１の裏側に整合するよう配設されて、図３に示す如く、該装飾部材１１に開口形成された透視窓部１２に対して図柄表示部３０が整合し、前記図柄ベルト２６の前側帯部分２６ａが正面側から視認し得るよう構成される。そして、この図柄表示装置２０では、前記始動入賞具５１のスイッチからの始動信号入力条件により、図示しない制御回路装置から発生される制御出力に基いて、各図柄ベルト２６が変動・停止されるよう設定される。なお図柄表示装置２０では、前記透視窓部１２に複数列・複数段、具体的には３列×３段で合計９個の図柄２７を停止表示するよう構成されている。
【００１６】
本発明の各実施例に係る有効ライン表示装置は、透視板体３１を構成する透明板３３(３３Ａ〜３３Ｄ)の外面に形成され、前記図柄表示部３０に停止表示される前記図柄２７の組合わせラインに沿って延在する不透明または半透明の反射面からなる線状部３５(３５Ａ〜３５Ｅ)と、該線状部３５(３５Ａ〜３５Ｅ)の延在方向の各端部に向けて照射光を照射可能な光源３２と、前記線状部３５(３５Ａ〜３５Ｅ)の所定位置に形成された遮光部４２とから基本的に構成される。すなわち各実施例の有効ライン表示装置は、例えばアクリル板やガラス板等からなる透視板体３１の端面に向けて照射した前記光源としてのＬＥＤランプ３２の照射光が、該透視板体３１の内部を直進し、線状部３５(３５Ａ〜３５Ｅ)における境界面で全反射することで、最終的に透視板体３１の表面側から出るようになる所謂「エッジライト効果」を利用して、該線状部３５(３５Ａ〜３５Ｅ)を明輝させるようにしたものである。
【００１７】
なお、各実施例に係る有効ライン表示装置は、前述した構成を基本的に備えているから、各実施例の具体的な構成を説明する前に、基本的な各構成部材について個別に説明する。
【００１８】
(透視板体)
前記透視板体３１は、同一サイズの矩形状に形成された１枚あるいは複数枚の透明板３３で構成されるものであり、図３に示した前記大型装飾部材１１の透視窓部１２に対して略垂直状態で装着し得るサイズに寸法設定されている。そして、前述したように３列×３段で合計９個の前記図柄２７を図柄表示部３０に停止表示する前記図柄表示装置２０では、図柄組合わせの成立ラインが合計５種類あることから、当該透明板３３に対して前記第１〜第５の各有効ラインＬ１,Ｌ２,Ｌ３,Ｌ４,Ｌ５と対応する位置に前記線状部３５(３５Ａ〜３５Ｅ)を夫々形成することで、該透視板体３１に各有効ラインＬ１,Ｌ２,Ｌ３,Ｌ４,Ｌ５を表示可能としてある。
【００１９】
(透明板)
前記透明板３３は、透明性や光線拡散性等に優れた既存のアクリル板やガラス板等を、その板厚Ｈを概ね３ｍｍ程度として形成されたものであって(図６参照)、該透明板３３の外面である裏面３６に前述した線状部３５が形成されている。具体的には、図５に示すように、上段の第１有効ラインＬ１、中段の第２有効ラインＬ２および下段の第３有効ラインＬ３と対応する位置に線状部３５Ａ,３５Ｂ,３５Ｃを夫々形成した透明板３３Ａ(図５(ａ))と、右下がりに延在する第４有効ラインＬ４および左下がりに延在する第５有効ラインＬ５に対応して交差する線状部３５Ｄ,３５Ｅを形成した透明板３３Ｂ(図５(ｂ))と、第４有効ラインＬ４に対応する線状部３５Ｄのみを形成した透明板３３Ｃ(図５(ｃ))と、第５有効ラインＬ５に対応する線状部３５Ｅのみを形成した透明板３３Ｄ(図５(ｄ))等が実施され得る。従って透明板３３Ａ(以下 第１透明板と云う)を基本としたもとで、▲１▼当該第１透明板３３Ａに透明板３３Ｂ(以下 第２透明板と云う)を前後に重ね合わせたり、▲２▼同第１透明板３３Ａに、透明板３３Ｃ(以下 第３透明板と云う)および透明板３３Ｄ(以下 第４透明板と云う)を前後に夫々重ね合わせることで、５本の有効ラインＬ１,Ｌ２,Ｌ３,Ｌ４,Ｌ５を表示可能な前記透視板体３１が構成可能となっている。
【００２０】
(線状部)
前記線状部３５(３５Ａ〜３５Ｅ)は、図６に示すように、断面がＶ字状をなす溝であって、透明板３３(３３Ａ〜３３Ｄ)の裏面３６から最深部に向けて対向的に傾斜する反射面３８,３８で形成されている。これら反射面３８,３８は所謂磨りガラス状に加工されたもので、巨視的には不透明状または半透明状を呈しているが、微視的には多数の微小面が連続した凹凸形状を呈している。そして、第１透明板３３Ａに設けた線状部３５Ａ,３５Ｂ,３５Ｃと、第２透明板３３Ｂ〜第４透明板３３Ｄに設けた線状部３５Ｄおよび線状部３５Ｅは、図７(ａ)に示すように、平面視でＶ字状を呈するよう形成されており、ＬＥＤランプ３２からの照射光が反射面３８,３８に対して所要角度で到達して反射され得るように設定されている。ここで、透明板３３(３３Ａ〜３３Ｄ)の左側端面３９および右側端面４０の両方に隣接してＬＥＤランプ３２,３２を夫々配設した照射形態では、前記各線状部３５Ａ〜３５Ｅは中央部が最も表面３７側に偏倚し、左側端面３９および右側端面４０に向かうにつれて徐々に裏面３６側に後退するよう設定されている。従って各ＬＥＤランプ３２からの照射光は、対応の線状部３５Ａ〜３５Ｅにおける反射面３８,３８の微小面で反射して透明板３３Ａ〜３３Ｄの表面３７の側へ出光するようになり、当該線状部３５Ａ〜３５Ｅが明輝表示される。
【００２１】
また、前記線状部３５(３５Ａ〜３５Ｅ)における両反射面３８,３８の不透明度は全長に亘って均一ではなく、不透明部分あるいは半透明部分の不透明度が、線状部３５(３５Ａ〜３５Ｅ)の両端部(透明板の左右両側端面)から延在方向の中央部に向けて除々に増大するよう設定されている。すなわち、図７(ｂ)に示す如く、前記ＬＥＤランプ３２の近傍では不透明度が小さく(透明に近い)、該ＬＥＤランプ３２から離れる程に不透明度が徐々に増大するように設定されている。
【００２２】
(遮光部)
更に、前記線状部３５(３５Ａ〜３５Ｅ)の所定位置(実施例では延在方向の中央部)に、前記遮光部４２が形成されている。この遮光部４２は、例えば断面が円形に形成された凸状部であって、該線状部３５(３５Ａ〜３５Ｅ)が透明板３３(３３Ａ〜Ｄ)の所定方向に沿って延在する中央部において、図６に示すように、前記反射面３８,３８から透明板３３(３３Ａ〜３３Ｄ)の裏面３６側に向けて所要高さで形成されている。この遮光部４２は、前記線状部３５(３５Ａ〜３５Ｅ)の一端部側から照射された照射光が他端部側へもれるのを防ぐものであって、例えば図７において左側のＬＥＤランプ３２のみを点灯した場合は、その照射光により遮光部４２より左側の線状部３５(３５Ａ〜３５Ｅ)のみが明輝し、右側のＬＥＤランプ３２のみを点灯した場合は、その照射光により遮光部４２より右側の線状部３５(３５Ａ〜３５Ｅ)のみが明輝するよう構成される。なお図５に示す如く、遮光部４２によって分割される各線状部３５(３５Ａ〜３５Ｅ)のうち、透明板３３(３３Ａ〜３３Ｄ)の右半分に位置する部位を右線状部ＡＲ〜ＥＲとして指示し、左半分に位置する部位を左線状部ＡＬ〜ＥＬとして指示する。また、右線状部ＡＲ〜ＥＲで明輝表示される有効ラインを右有効ライン１Ｒ〜５Ｒとして指示し、更に左線状部ＡＬ〜ＥＬで明輝表示される有効ラインを左有効ライン１Ｌ〜５Ｌとして指示する。
【００２３】
(光源)
前記光源３２は、前述した如く、前記透明板３３(３３Ａ〜３３Ｄ)の板厚と同程度の直径を有し、前方指向性の高い照射光を発光する公知のＬＥＤランプが好適に採用され、小型ながらも各線状部３５(３５Ａ〜３５Ｅ)の反射面３８,３８を好適に照射可能となっている。このＬＥＤランプ３２(３２ａ〜３２ｊ)は、前記透視板体３１の左側端面３９および右側端面４０に対して上下所要間隔毎に複数個配置されると共に、対応の線状部３５(３５Ａ〜３５Ｅ)の延在方向に沿う向きに角度調整されており、これらＬＥＤランプ３２(３２ａ〜３２ｊ)からの照射光が該線状部３５(３５Ａ〜３５Ｅ)の反射面３８に対して所要角度で到達するように設定されている。また各ＬＥＤランプ３２(３２ａ〜３２ｊ)は、図示しないランプ制御部により、夫々が個別に点灯・消灯制御されるようになっている。更にＬＥＤランプ３２(３２ａ〜３２ｊ)は、赤色、青色、緑色、黄色、白色、橙色等の種々の発光色のものが採用可能である。
【００２４】
次に、前述した各構成部材からなる各実施例の有効ライン表示装置につき、具体的に説明する。
【００２５】
【第１実施例】
図１は、第１実施例に係る有効ライン表示装置を示す概略斜視図であって、この第１実施例では、図２に示すように、前記第１透明板３３Ａと第２透明板３３Ｂを前後に重ね合わせ、この２枚の透明板３３Ａ,３３Ｂで前記透視板体３１を構成したタイプである。前述した如く、第１透明板３３Ａは、各線状部３５Ａ,３５Ｂ,３５Ｃを、第１有効ラインＬ１〜第３有効ラインＬ３と対応する位置に設けたものであり、また第２透明板３３Ｂには、第４有効ラインＬ４および第５有効ラインＬ５と対応する位置に、前記線状部３５Ｄおよび線状部３５Ｅが設けられているから、第１透明板３３Ａと第２透明板３３Ｂを前後に重ね合わせるだけで、５本の有効ラインＬ１,Ｌ２,Ｌ３,Ｌ４,Ｌ５に対応する５本の線状部３５Ａ,３５Ｂ,３５Ｃ,３５Ｄ,３５Ｅを設けた透視板体３１が構成される。
【００２６】
また、図１に示す如く、前記第１透明板３３Ａおよび第２透明板３３Ｂにおける左側端面３９および右側端面４０に隣接した部位に、両透明板３３Ａ,３３Ｂに指向した姿勢の前記ＬＥＤランプ３２(３２ａ〜３２ｊ)が、上下所要間隔毎に配置されている。具体的に第１透明板３３Ａでは、左右上段に水平状に配置された両ＬＥＤランプ３２ａ,３２ｂが第１有効ラインＬ１に対応する前記線状部３５Ａの両端部に整合してこれを照射し、左右中段に水平状に配置された両ＬＥＤランプ３２ｃ,３２ｄが第２有効ラインＬ２に対応する前記線状部３５Ｂの両端部に整合してこれを照射し、左右下段に水平状に配置された両ＬＥＤランプ３２ｅ,３２ｆが第３有効ラインＬ３に対応する前記線状部３５Ｃの両端部に整合してこれを照射するようになっている。一方、第２透明板３３Ｂでは、左上段に右下がり傾斜状に配置されたＬＥＤランプ３２ｇおよび右下段に左上がり傾斜状に配置されたＬＥＤランプ３２ｈが、第４有効ラインＬ４に対応する前記線状部３５Ｄの両端部に整合してこれを照射し、右上段に左下がり傾斜状に配置されたＬＥＤランプ３２ｉおよび左下段に右上がり傾斜状に配置されたＬＥＤランプ３２ｊが、第５有効ラインＬ５に対応する前記線状部３５Ｅの両端部に整合してこれを照射するようになっている。
【００２７】
ここで、前記遮光部４２は、図２に示すように、各線状部３５Ａ〜３５Ｅの延在方向の中央部に形成されているが、第２透明板３３Ｂでは、第４有効ラインＬ４と第５有効ラインＬ５との交点に共通する１つの遮光部４２が形成されている。また第２有効ラインＬ２の遮光部４２と、第４有効ラインＬ４および第５有効ラインＬ５の遮光部４２とは前後に重なるよう位置決めされている。そして、例えば前記線状部３５Ａでは、前述した如く、前記右側端面４０側に配設されたＬＥＤランプ３２ｂのみが点灯制御された場合、その照射光が前記右線状部ＡＲの反射面３８,３８に対して所要角度で到達し、この微小面で反射して第１透明板３３Ａの表面３７側へ出光することで該右線状部ＡＲが明輝表示される。その一方で、遮光部４２を挟んで左側端面３９側に延在する前記左線状部ＡＬは、ＬＥＤランプ３２ｂの照射光が遮光部４２で遮断されて到達しないために明輝表示されることはない。従ってこの場合の線状部３５Ａでは、第１透明板３３Ａの板面において、左右方向の中央部から右側に位置する右線状部ＡＲのみが明輝表示されることになる。
【００２８】
【第１実施例の作用】
このように構成された第１実施例に係る有効ライン表示装置を備えたパチンコ機Ｐでは、前記始動入賞具５１のスイッチからの始動信号入力条件により、制御回路装置から発生される制御出力に基いて、前記図柄表示装置２０における各図柄ベルト２６の変動が開始され、所定時間後に停止制御されることで、前記透視窓部１２には９個の図柄２７が所定の組合わせで表示される。この場合に、パチンコ機Ｐの遊技態様に応じて、図示しないランプ制御部が前記各ＬＥＤランプ３２ａ〜３２ｊを個別に点灯・消灯制御し、これらＬＥＤランプ３２ａ〜３２ｊが点灯制御された際には、該ＬＥＤランプ３２ａ〜３２ｊからの照射光が線状部３５Ａ〜３５Ｅの各反射面３８,３８で反射し、これにより明輝した線状部３５Ａ〜３５Ｅが前記透視板体３１の表面３７に有効ラインＬ１〜Ｌ５として表示される。すなわち、明輝した線状部３５Ａ〜３５Ｅで有効ラインＬ１〜Ｌ５を表示するようにしたから、前記大型装飾部材１１やその近傍に多数の装飾ランプや装飾部材等が配設されていても、該ラインＬ１〜Ｌ５が鮮明に表示されて視認性が向上する。また第１実施例の有効ライン表示装置では、第１透明板３３Ａおよび第２透明板３３Ｂの合計２枚を重ね合わせることで、図８に示すように、直線的に構成される合計５本の有効ラインＬ１,Ｌ２,Ｌ３,Ｌ４,Ｌ５を表示することが可能である。
【００２９】
第１実施例の有効ライン表示装置では、前記各ＬＥＤランプ３２ａ〜３２ｊを個別に点灯・消灯制御することで、以下に示す１本毎の直線状の有効ラインの表示も可能となる。
【００３０】
▲１▼ＬＥＤランプ３２ａとＬＥＤランプ３２ｂとを点灯制御すると、左線状部ＡＬおよび右線状部ＡＲが明輝して第１有効ラインＬ１が表示される。
▲２▼ＬＥＤランプ３２ｃとＬＥＤランプ３２ｄとを点灯制御すると、左線状部ＢＬおよび右線状部ＢＲが明輝して第２有効ラインＬ２が表示される。
▲３▼ＬＥＤランプ３２ｅとＬＥＤランプ３２ｆとを点灯制御すると、左線状部ＣＬおよび右線状部ＣＲが明輝して第３有効ラインＬ３が表示される。
▲４▼ＬＥＤランプ３２ｇとＬＥＤランプ３２ｈとを点灯制御すると、左線状部ＤＬおよび右線状部ＤＲが明輝して第４有効ラインＬ４が表示される。
▲５▼ＬＥＤランプ３２ｉとＬＥＤランプ３２ｊとを点灯制御すると、左線状部ＥＬおよび右線状部ＥＲが明輝して第５有効ラインＬ５が表示される。
【００３１】
なお、前記▲１▼〜▲５▼のパターンを任意に組合わせることで、有効ラインの位置や本数を変えて、通常の遊技とは異なる遊技性を付与することが可能となる。
【００３２】
前記各ＬＥＤランプ３２ａ〜３２ｊで対応の線状部３５Ａ〜３５Ｅを照射することにより第１〜第５の有効ラインＬ１〜Ｌ５を表示するタイミングや態様等は、パチンコ機、スロットマシンあるいはパチンコ式スロットマシンの遊技態様に依存するものであって各遊技機毎に異なっている。例えばパチンコ機では、図柄変動遊技中にリーチ状態となった際に、前記複数のＬＥＤランプ３２ａ〜３２ｊを自動的に選択して点灯制御することで、特定の図柄組合わせが成立する可能性のある図柄配列を有効ラインＬ１〜Ｌ５で好適に表示することが可能である。また、スロットマシンあるいはパチンコ式スロットマシンでは、遊技機使用権利媒体であるコインやパチンコ球の投入数量に応じて、前記複数のＬＥＤランプ３２ａ〜３２ｊを自動的に選択して点灯制御することで、表示する有効ラインの本数を選択し得る。
【００３３】
また、複数のＬＥＤランプ３２ａ〜３２ｊの点灯タイミングや点灯時間等を変化させることにより、有効ラインＬ１〜Ｌ５の多様なライン表示が可能となる。更には、ＬＥＤランプ３２ａ〜３２ｊを異なる発光色に設定すれば、有効ラインＬ１〜Ｌ５のカラー表示も可能となり、興趣に富んだ遊技ができる。
【００３４】
更に、第１実施例のように各線状部３５Ａ〜３５Ｅの中央部に前記遮光部４２を夫々形成したことで、特別遊技状態となり得る図柄組合わせラインを、前述した直線的に表示するパターンとは異なり、延在途中で折れ曲がる変則的なパターンとして表示することができる。
【００３５】
一例として、前記ＬＥＤランプ３２ｃとＬＥＤランプ３２ｉのみを点灯制御することで、図９(ａ)に示す如く、第１透明板３３Ａに形成された前記左線状部ＢＬが明輝して左有効ライン２Ｌが表示されると共に、第２透明板３３Ｂに形成された右線状部ＥＲが明輝して右有効ラインＬ５Ｒが表示され、これによって中央部で折れ曲がった有効ラインが表示される。また、前記ＬＥＤランプ３２ｃとＬＥＤランプ３２ｈのみを点灯制御することで、図９(ｂ)に示す如く、第１透明板３３Ａに形成された前記左線状部ＢＬが明輝して左有効ライン２Ｌが表示されると共に、第２透明板３３Ｂに形成された右線状部ＤＲが明輝して右有効ライン４Ｒが表示され、これによって中央部で折れ曲がった有効ラインが表示される。また前記ＬＥＤランプ３２ｇとＬＥＤランプ３２ｉのみを点灯制御することで、図９(ｃ)に示す如く、第２透明板３３Ｂに形成された前記左線状部ＤＬが明輝して左有効ライン４Ｌが表示されると共に、第２透明板３３Ｂに形成された右線状部ＥＲが明輝して右有効ライン５Ｒが表示され、これによって中央部で折れ曲がった略Ｖ字状の有効ラインが表示される。更に、前記ＬＥＤランプ３２ｊとＬＥＤランプ３２ｈのみを点灯制御することで、図９(ｄ)に示す如く、第２透明板３３Ｂに形成された前記左線状部ＥＬが明輝して左有効ライン５Ｌが表示されると共に、第２透明板３３Ｂに形成された右線状部ＤＲが明輝して右有効ライン４Ｒが表示され、これによって中央部で折れ曲がった山形状の有効ラインが表示される。
【００３６】
なお、前述したような変則的な有効ラインを表示する場合も、中央部を挟んで位置する左右の有効ラインは対応する線状部を明輝することで表示されるものであるから、該有効ラインは鮮明に表示されて視認性が向上する。
【００３７】
更に、第１実施例の有効ライン表示装置では、特別遊技状態に至る前段階であって、２個の図柄２７が揃った状態(テンパイ状態)を予め遊技者に示すことができる。例えば、図１０(ａ)に示す如く、左列中段と中列中段、および左列下段と中列下段との夫々の図柄２７が揃った場合は、前記ＬＥＤランプ３２ｃおよびＬＥＤランプ３２ｅを点灯制御することで、左有効ライン２Ｌ(左線状部ＢＬ)および左有効ライン３Ｌ(左線状部ＣＬ)が表示される。また図１０(ｂ)に示す如く、左列上段と中列中段、および左列下段と中列下段との夫々の図柄２７が揃った場合は、前記ＬＥＤランプ３２ｇおよびＬＥＤランプ３２ｅを点灯制御することで、左有効ライン４Ｌ(左線状部ＤＬ)および左有効ライン３Ｌ(左線状部ＣＬ)が表示される。
【００３８】
そして第１実施例において、第１透明板３３Ａの左線状部ＢＬで示される左有効ライン２Ｌ、または第２透明板３３Ｂの左線状部ＤＬで示される左有効ライン４Ｌが表示された場合は、図１０(ａ),(ｂ)に想像線で示す如く、第２透明板３３Ｂの右線状部ＥＲで示される右有効ライン５Ｒ、第１透明板３３Ａの右線状部ＢＲで示される右有効ライン２Ｒ、第２透明板３３Ｂの右線状部ＤＲで示される右有効ライン４Ｒのうち、何れかを明輝表示することで特別遊技状態となり得る有効ラインが表示できる。
【００３９】
【第２実施例】
図１１および図１２は、第２実施例に係る有効ライン表示装置を示す概略斜視図であって、前記第１透明板３３Ａ、第３透明板３３Ｃおよび第４透明板３３Ｄの合計３枚を前後に重ね合わせることで、図８に示す如く、直線的に構成される合計５本の有効ラインＬ１,Ｌ２,Ｌ３,Ｌ４,Ｌ５を表示することが可能である。この第２実施例では、第１透明板３３Ａの左右両側端面３９,４０側に、第１実施例と同様に、各線状部３５Ａ,３５Ｂ,３５Ｃの各端部と対応して、ＬＥＤランプ３２ａ,３２ｂ,３２ｃ,３２ｄ,３２ｅ,３２ｆが配置される。
【００４０】
また、第１透明板３３Ａの表面３７に当接配置される第３透明板３３Ｃの左右両側端面３９,４０側には、左上段に右下がり傾斜状にＬＥＤランプ３２ｇが配置されると共に、右下段に左上がり傾斜状にＬＥＤランプ３２ｈが配置される。更に、第３透明板３３Ｃの表面３７に当接配置される第４透明板３３Ｄの左右両側端面３９,４０側には、右上段に左下がり傾斜状にＬＥＤランプ３２ｉが配置されると共に、左下段に右上がり傾斜状にＬＥＤランプ３２ｊが配置される。そして、前記各ＬＥＤランプ３２ａ〜３２ｊを点灯することで、対応する各線状部３５Ａ〜３５Ｅが明輝するよう構成される。
【００４１】
そして、この第２実施例においても、前記第１実施例と同様に、直線的に構成される合計５本の有効ラインＬ１,Ｌ２,Ｌ３,Ｌ４,Ｌ５を単独または複数組合わせて表示することが可能である。また図９に示す変則的な有効ラインや、図１０に示すテンパイ状態を有効ラインで表示することもできる。
【００４２】
【別実施例】
前記有効ラインＬ１〜Ｌ５に対応した線状部３５Ａ〜３５ＥをＬＥＤランプ３２ａ〜３２ｊで照射する態様は、前記第１実施例および第２実施例に示したものに限定されるものではない。例えば図１３に示す別実施例は、前記透視板体３１を１枚の透明板３３で構成したものであって、５本の線状部３５Ａ〜３５Ｅが透明板３３の裏面３６側に形成されている。また透明板３３の左右両側端面３９,４０側に、各線状部３５Ａ〜３５Ｅの各端部と対応して、ＬＥＤランプ３２ａ〜３２ｊが配置される。そして、各線状部３５Ａ〜３５Ｅに対して、前記と同様の遮光部４２が夫々の延在方向における中央部に形成されており、この遮光部４２によって、前述した如く、各線状部３５Ａ〜３５Ｅは右線状部および左線状部に夫々分割され、ＬＥＤランプ３２ａ〜３２ｊを個別に点灯・消灯制御することで、図９に示す変則的に有効ラインを表示したり、図１０に示すテンパイ状態を有効ラインで表示することができる。
【００４３】
なお図１４に示す別実施例は、図１３に示す別実施例と同様に透視板体３１を１枚の透明板３３で構成したものであるが、第２線状部３５Ｂ、第４線状部３５Ｄおよび第５線状部３５Ｅの交点にのみ遮光部４２を形成した点でのみ異なっている。従って、この別実施例においても、図９に示す変則的な有効ラインを表示することはできる。
【００４４】
【変更例】
前記線状部は、各実施例に示した溝が断面Ｖ字状に限定されるものではなく、ＬＥＤランプからの照射光を適切に反射し得れば、例えば断面コ字状あるいはＵ字状等であってもよい。また線状部を、透明板の裏面から突出する断面Ｖ字状やその他の形状の凸状としてもよい。なお前記実施例では、透視板体に５本の有効ラインを表示することを前提に説明したが、該透視板体に４本以下または６本以上の有効ラインを表示することも可能である。何れの場合でも、有効ラインの数より少ない枚数の透明板を使用することで全ての有効ラインを好適に表示することが可能となる。また実施例ではベルト式図柄表示装置を例示したが、本願の遊技機が対象とする図柄表示装置は、ドラム式や液晶式等も含まれることは勿論である。そして、この図柄表示装置の図柄表示部に表示する図柄の数も、実施例のように３列×３段で合計９個に限定されるものでなく、任意の数に設定可能である。
【００４５】
【発明の効果】
以上説明した如く、本発明に係る有効ライン表示装置およびその表示装置を有する遊技機によれば、透明板に設けた線状部の両端部に向けてＬＥＤランプから照射光を照射することで、該線状部の反射面で照射光が反射し、これにより明輝した線状部で有効ラインを表示するので、該有効ラインは鮮明に表示されて視認性を向上することができる。また、線状部の所定位置に形成した遮光部により、一端部側から照射された照射光が他端部側へもれないようにし得るから、一方のＬＥＤランプを消灯することにより、該遮光部を挟む他方の側のみを明輝させることが可能となる。更に、線状部の反射面の不透明度を、両端部から中央部に向けて徐々に増大するよう設定することで、該線状部全体が略均一的に明輝して有効ラインを鮮明に表示し得る。
【００４６】
また、ＬＥＤランプを個別に点灯・消灯制御すると共に、横方向に延びる線状部や斜め方向に延在する線状部を組合わせることで、変則的な有効ラインを表示することが可能となり、有効ラインの表示態様の多様化を図ることができる。更に、複数のＬＥＤランプを、異なる発光色に設定すれば、有効ラインの表示態様の多彩化が可能となる。そして、このようなＬＥＤランプを、遊技機使用権利媒体の投入数量に応じて選択して点灯制御することで、有効ラインの表示数を選択して表示することができる。
【００４７】
前記有効ライン表示装置を備える遊技機では、図柄表示装置の図柄組合わせゲームにおける特別遊技状態となり得る図柄組合わせラインが明確に表示され、更には変則化な有効ラインが表示可能となるから、興趣に富んだ遊技を行なうことができる。
【図面の簡単な説明】
【図１】本発明の第１実施例に係る有効ライン表示装置を示す概略斜視図である。
【図２】第１透明板および第２透明板を前後に重ね合わせることで、図１に示した透視板体を形成する状態を示す斜視図である。
【図３】図柄表示装置を裏側に設置したパチンコ機の遊技盤を、該表示装置の設置部位で破断した縦断側面図である。
【図４】第１実施例に係る有効ライン表示装置が実施されるパチンコ機を示す正面図である。
【図５】透視板体を構成する各透明板の形態を示す概略斜視図であって、(ａ)は３本の線状部を形成した第１透明板を例示し、(ｂ)は２本の線状部をクロスした状態で形成した第２透明板を例示し、(ｃ)は１本の線状部を右下がりに傾斜する状態で形成した第３透明板を例示し、(ｄ)は１本の線状部を左下がりに傾斜する状態で形成した第４透明板を例示している。
【図６】透明板の両側端面側に配置したＬＥＤランプからの照射光が線状部を形成する反射面で反射して該透明板の表面側へ出光することで、該線状部が明輝して有効ラインを表示する態様を示す説明断面図である。
【図７】  (ａ)は、透明板の左側端面および右側端面に隣接してＬＥＤランプを夫々配設した場合、線状部においては、両端部から中央部に向けて表面側に偏倚するよう設定することで、ＬＥＤランプからの照射光が反射面に対して所要角度で到達して反射され易くなることを示した説明断面図であり、  (ｂ)は、透明板の左側端面および右側端面に隣接してＬＥＤランプを夫々配設した場合、線状部を形成する反射面の不透明度を、両端部から中央部に向かうにつれて徐々に増大するよう設定することで、該線状部全体が略均一的に明輝されることを示す説明断面図である。
【図８】第１実施例に係る有効ライン表示装置において、透視窓部に５本の有効ラインが表示された状態を示す正面図である。
【図９】第１実施例に係る有効ライン表示装置において、変則的な有効ラインを示す状態図である。
【図１０】第１実施例に係る有効ライン表示装置において、テンパイ状態を示す状態図である。
【図１１】本発明の第２実施例に係る有効ライン表示装置を示す概略斜視図である。
【図１２】第１透明板、第３透明板および第４透明板を前後に重ね合わせることで、図１１に示した透視板体を形成する状態を示す斜視図である。
【図１３】別実施例に係る有効ライン表示装置を示す概略斜視図である。
【図１４】更に別の実施例に係る有効ライン表示装置を示す概略斜視図である。
【図１５】図柄表示装置を裏側に設置したパチンコ機の遊技盤を示す正面図である。
【図１６】図１５に示した遊技盤を、図柄表示装置の設置部位で破断した縦断側面図である。
【図１７】３列×３段で合計９個の図柄を図柄表示部に停止表示する図柄表示装置の場合に、特定の図柄組合わせが成立可能な有効ラインを、大型装飾部材の透視窓部に配設した透視板体に形成した状態を示す説明図である。
【符号の説明】
２０  図柄表示装置
２７  図柄
３０  図柄表示部
３１  透視板体
３２(３２ａ〜３２ｊ)  ＬＥＤランプ(光源)
３３  透明板
３３Ａ  第１透明板
３３Ｂ  第２透明板
３３Ｃ  第３透明板
３３Ｄ  第４透明板
３５  線状部
３５Ａ  (第１透明板の)線状部
３５Ｂ  (第１透明板の)線状部
３５Ｃ  (第１透明板の)線状部
３５Ｄ  (第２,３透明板の)線状部
３５Ｅ  (第２,４透明板の)線状部
３８  反射面
４２  遮光部
Ｌ１  第１有効ライン
Ｌ２  第２有効ライン
Ｌ３  第３有効ライン
Ｌ４  第４有効ライン
Ｌ５  第５有効ライン
【図１】
0004193023.tif 000002
【図２】
0004193023.tif 000003
【図３】
0004193023.tif 000004
【図４】
0004193023.tif 000005
【図５】
0004193023.tif 000006
【図６】
0004193023.tif 000007
【図７】
0004193023.tif 000008
【図８】
0004193023.tif 000009
【図９】
0004193023.tif 000010
【図１０】
0004193023.tif 000011
【図１１】
0004193023.tif 000012
【図１２】
0004193023.tif 000013
【図１３】
0004193023.tif 000014
【図１４】
0004193023.tif 000015
【図１５】
0004193023.tif 000016
【図１６】
0004193023.tif 000017
【図１７】
0004193023.tif 000018